(57)【要約】【課題】壁の内壁側に水滴が浸入することを防止することができるスリーブ用排水部材、スリーブ、及びスリーブ壁貫通構造を提供する。【解決手段】外壁から内壁まで達する貫通孔に取り付けられたスリーブ本体に組み付けられ、前記スリーブ本体の外壁側に設けられる円筒カバー２１と、前記円筒カバー２１の内壁側端部に配置され、前記円筒カバー２１の外周から突出して形成された遮水リング壁部２２と、前記円筒カバー２１の外周に設けられ、前記円筒カバー２１の外壁側端部から前記遮水リング壁部２２までの外周面上に注がれる水滴を前記外壁側へ払い出す水通路２３と、を備えることを特徴とする。【選択図】図２
2014084984.tif 000002
【特許請求の範囲】
【請求項１】
外壁から内壁まで達する貫通孔に取り付けられたスリーブ本体に組み付けられるスリーブ用排水部材であって、
前記スリーブ本体の外壁側に設けられる円筒カバーと、
前記円筒カバーの内壁側端部に配置され、前記円筒カバーの外周から突出して形成された遮水リング壁部と、
前記円筒カバーの外周に設けられ、前記円筒カバーの外壁側端部から前記遮水リング壁部までの外周面上に注がれる水滴を前記外壁側へ払い出す水通路と、
を備えることを特徴とするスリーブ用排水部材。
【請求項２】
前記遮水リング壁部は、下端部から上方に向かうに従い前記円筒カバーの外壁側から内壁側へ配置されるように、斜めに傾斜して形成されていることを特徴とする請求項１に記載のスリーブ用排水部材。
【請求項３】
前記水通路は、前記円筒カバーの下方側を覆うように設けられた通路壁によって形成されていることを特徴とする請求項１または請求項２に記載のスリーブ用排水部材。
【請求項４】
前記水通路には、前記水滴を前記円筒カバーの外壁側端部よりも外方に払い出す排水口が形成されていることを特徴とする請求項１から請求項３のいずれか一項に記載のスリーブ用排水部材。
【請求項５】
前記スリーブ本体と、請求項１から請求項４のいずれか一項に記載のスリーブ用排水部材と、を備えることを特徴とするスリーブ。
【請求項６】
外壁から内壁まで達する貫通孔に取り付けられるスリーブであって、
スリーブ本体と、
前記スリーブ本体の外壁側端部と内壁側端部との中間部に設けられ、前記スリーブ本体の外周から突出して形成された遮水リング壁部と、
前記スリーブ本体の外周に設けられ、前記スリーブ本体の外壁側端部から遮水リング壁部までの外周面上に注がれる水滴を外壁側へ払い出す水通路と、
を備えることを特徴とするスリーブ。
【請求項７】
請求項５または請求項６に記載のスリーブが、外壁から内壁まで達する貫通孔に取り付けられていることを特徴とするスリーブ壁貫通構造。
【発明の詳細な説明】
【技術分野】
【０００１】
本発明は、壁に形成される貫通孔に配置されるスリーブ用排水部材、スリーブ、及びスリーブ壁貫通構造に関するものである。
【背景技術】
【０００２】
例えばエアコンやクーラーなどを設置する場合には、室内機と室外機とをつなぐ配管が、建物の壁に形成された貫通孔に挿通される（特許文献１参照）。この貫通孔には、一般的に、貫通孔を覆うスリーブが設けられ、このスリーブによって貫通孔が保護されている。
また、特許文献２には、プラスチック製のフランジと、ポリエチレンフィルムの筒とが、一体とされたスリーブが開示されている。
【先行技術文献】
【特許文献】
【０００３】
【特許文献１】特開平８−３５６８６号公報
【特許文献２】特開２００６−１６２０５３号公報
【発明の概要】
【発明が解決しようとする課題】
【０００４】
ところで、建物の壁の断面は、図９に示すような構造とされており、壁２３０は、外壁２３１と、中間壁２３２と、内壁２３３とを備え、中間壁２３２と内壁２３３との間には断熱材２３４が設けられ、中間壁２３２の外壁側には防水層２３５が形成されている。そして、この壁２３０には、外壁２３１から内壁２３３まで達する貫通孔２３６が形成されており、この貫通孔２３６にはスリーブ２１０が配置されている。このスリーブ２１０には、気密のためのパッキン２４１やコーキング２４２が設けられており、壁２３０の外部から水などが浸入できない構造になっている。
【０００５】
しかしながら、上述のように壁２３０に貫通孔２３６を形成した場合には、防水層２３５に開口部を形成することになり、外壁２３１から内壁側に浸入する水滴や防水層２３５の外壁側に生じる内部結露などの水滴が、防水層２３５の開口部からスリーブ２１０の表面を伝って断熱材２３４へと浸入するおそれがある。このように断熱材２３４に水滴が浸入し断熱材２３４が水滴を吸収すると、断熱材２３４の断熱性能が損なわれて所望の断熱性能が得られなくなり問題となる。
【０００６】
この発明は、前述した事情に鑑みてなされたものであって、壁の内壁側に水滴が浸入することを防止することができるスリーブ用排水部材、スリーブ、及びスリーブ壁貫通構造を提供することを目的とする。
【課題を解決するための手段】
【０００７】
前述の課題を解決するために、本発明のスリーブ用排水部材は、外壁から内壁まで達する貫通孔に取り付けられたスリーブ本体に組み付けられるスリーブ用排水部材であって、前記スリーブ本体の外壁側に設けられる円筒カバーと、前記円筒カバーの内壁側端部に配置され、前記円筒カバーの外周から突出して形成された遮水リング壁部と、前記円筒カバーの外周に設けられ、前記円筒カバーの外壁側端部から前記遮水リング壁部までの外周面上に注がれる水滴を前記外壁側へ払い出す水通路と、を備えることを特徴としている、
【０００８】
本発明のスリーブ用排水部材においては、円筒カバーの外周から突出して形成された遮水リング壁部と、円筒カバーの外周面上に注がれる水滴を外壁側へ払い出す水通路とを備えているので、水滴が遮水リング壁部の位置を越えて内壁側へ浸入することを防止し、水滴を水通路から払い出すことができる。
したがって、このようなスリーブ用排水部材をスリーブ本体に取り付け、スリーブを壁の貫通孔に設けることで、水滴が壁の内壁側に浸入することを防止することができる。
【０００９】
また、前記遮水リング壁部は、下端部から上方へ向かうに従い前記円筒カバーの外壁側から内壁側へ配置されるように、斜めに傾斜して形成されていることが好ましい。
このような構成の場合、遮水リング壁部が、円筒カバーの外周に注がれる水滴を円筒カバーの内壁側から外壁側へと効率的に流すことができる。したがって、スリーブにスリーブ用排水部材を取り付けた場合に、円筒カバーに注がれる水を外壁側へと効率的に導き、この水を水通路から払い出すことができる。
【００１０】
また、前記水通路は、前記円筒カバーの下方側を覆うように設けられた通路壁によって形成されていることが好ましい。
このような構成の場合、円筒カバーに注がれる水滴が水通路に滴下するときにはねることを防止し、確実に水通路から水滴を払い出すことができる。
【００１１】
さらに、前記水通路には、前記水滴を前記円筒カバーの外壁側端部よりも外方に払い出す排水口が形成されていても良い。
このような構成の場合、水滴を円筒カバーの外壁側端部よりも外方に払い出す排水口が形成されているので、水通路からの水を効率よく壁の外方へ払い出すことが可能である。
【００１２】
また、本発明のスリーブは、前記スリーブ本体と、上述のスリーブ用排水部材と、を備えることを特徴としている。
本発明のスリーブによれば、上述したようなスリーブ用排水部材を備えているので、スリーブを壁の貫通孔に設けた場合に、円筒カバーに注がれる水滴を外壁側に払い出すことが可能である。
【００１３】
また、本発明のスリーブは、外壁から内壁まで達する貫通孔に取り付けられるスリーブであって、スリーブ本体と、前記スリーブ本体の外壁側端部と内壁側端部との中間部に設けられ、前記スリーブ本体の外周から突出して形成された遮水リング壁部と、前記スリーブ本体の外周に設けられ、前記スリーブ本体の外壁側端部から遮水リング壁部までの外周面上に注がれる水滴を外壁側へ払い出す水通路と、を備える構成とされても良い。
この構成では、スリーブ本体の外周から突出して形成された遮水リング壁部と、スリーブ本体の外周面上に注がれる水滴を外壁側へ払い出す水通路とを備えているので、水滴が遮水リング壁部の位置を越えて内壁側へ浸入することを防止し、水滴を水通路から払い出すことができ、水滴が壁の内壁側に浸入することを防止可能である。
【００１４】
また、本発明のスリーブ壁貫通構造は、上述したようなスリーブが、外壁から内壁まで達する貫通孔に取り付けられていることを特徴としている。
本発明のスリーブ壁貫通構造によれば、上述のスリーブが壁の貫通孔に配置されているので、壁の内部の水滴を外壁側へと払い出すことが可能である。例えば、壁に断熱材が設けられている場合に、断熱材の孔の内方に遮水リング壁部を配置することにより、断熱材側から外壁側へと水滴を払い出し、断熱材に水滴が浸入することを防止できる。したがって、壁の断熱性能を長期間にわたって維持することが可能となる。また、内壁が腐食することを抑制することも可能である。
【発明の効果】
【００１５】
本発明によれば、壁の内壁側に水滴が浸入することを防止することができるスリーブ用排水部材、スリーブ、及びスリーブ壁貫通構造を提供することができる。
【図面の簡単な説明】
【００１６】
【図１】本発明の一実施形態に係るスリーブ及びスリーブ壁貫通構造の概略説明図である。
【図２】一実施形態に係るスリーブ用排水部材の概略説明図である。（ａ）はスリーブ用排水部材の側面図、（ｂ）は（ａ）のＡ−Ａ矢視断面図である。
【図３】スリーブ用排水部材の製造方法を示す斜視図である。
【図４】スリーブ用排水部材の断面の概略図である。
【図５】スリーブ用排水部材の変形例の断面の概略図である。
【図６】スリーブの施工方法を説明するための図である。
【図７】スリーブ用排水部材に注がれる水滴の流れの概略説明図である。（ａ）はスリーブ用排水部材の側面図、（ｂ）は（ａ）のＡ−Ａ矢視断面図である。
【図８】本発明の実施形態の変形例を示す概略説明図である。
【図９】従来の壁の構造及びスリーブの概略説明図である。
【発明を実施するための形態】
【００１７】
以下に、本発明の実施の形態について添付した図面を参照して説明する。
図１に、本発明の一実施形態に係るスリーブ１０及びスリーブ壁貫通構造１の概略説明図を示す。図１においては、例えば、建物の壁に形成されたエアコンやクーラーの配管用の貫通孔にスリーブ１０が配置されている場合を示している。
【００１８】
スリーブ壁貫通構造１は、壁３０の貫通孔３６にスリーブ１０が取り付けられ構成されている。
壁３０は、外壁３１と、中間壁３２と、内壁３３とを備え、中間壁３２と内壁３３との間には断熱材３４が設けられ、中間壁３２の外壁側には防水層３５が形成されている。内壁３３は、例えば建物の室内空間を形成する壁である。
断熱材３４は、建物の外部と内部とを断熱するためのものであり、内壁３３の外壁側に設けられている。この断熱材３４は、具体的には例えば、グラスファイバーが挙げられ、このグラスファイバーは、水を吸収すると断熱性能が損なわれる。
防水層３５は、外壁３１の外方から内壁側に浸入する水滴や、壁３０の内部において内部結露（水）によって生じる水滴を断熱材３４が吸収しないようにするために形成されている。
【００１９】
そして、上述のような構造の壁３０において、外壁３１から内壁３３まで達する貫通孔３６が形成されている。すなわち、外壁３１、中間壁３２、内壁３３、断熱材３４、及び防水層３５を貫通する貫通孔３６が形成されている。この貫通孔３６には、スリーブ１０が配置されている。
スリーブ１０は、スリーブ本体１１と、このスリーブ本体１１の軸線Ｏ方向においてスリーブ本体１１の外壁側（図１において左側）に組み付けられたスリーブ用排水部材２０とを備えている。このスリーブ１０は、例えばエアコンやクーラーなどの配管が挿通される孔を保護するものである。
【００２０】
スリーブ本体１１は、スリーブ１０の軸線Ｏ方向へ延在しており、本実施形態においては、円筒形状とされている。このスリーブ本体１１は、軸線Ｏ方向において、外壁側端部（図１において左端）が外壁３１の貫通孔３６に配置され、内壁側端部（図１において右端）が内壁３３の貫通孔３６に配置されている。
【００２１】
スリーブ用排水部材２０は、円筒カバー２１と、この円筒カバー２１の外周に沿って設けられた遮水リング壁部２２と、円筒カバー２１の外周側に設けられた水通路２３とを備えている。本実施形態では、軸線Ｏ方向において、円筒カバー２１の外壁側端部（図２（ａ）において左端）には外枠体２４が設けられている。
円筒カバー２１は、内径が上記のスリーブ本体１１の外径と同程度かそれよりも若干大きな径に設定されており、スリーブ本体１１の外周面に円筒カバー２１の内周面が係合している。本実施形態において、円筒カバー２１の形状は円筒形とされており、円筒カバー２１の内壁側（図２（ａ）において右側）は、下側よりも上側が長くなっている。
【００２２】
遮水リング壁部２２は、図２（ａ）に示すように、円筒カバー２１の内壁側（右側）において、円筒カバー２１の外周から突出するように形成されており、円筒カバー２１の外周に注がれる水滴が内壁側に浸入することを防止可能とされている。具体的には、円筒カバー２１の上方、かつ円筒カバー２１の外壁側（左側）から注がれる水滴が、遮水リング壁部２２を越えて円筒カバー２１の内壁側（右側）に流れることを防止できるようになっている。
【００２３】
本実施形態において、遮水リング壁部２２は、図２（ａ）に示すように、下端部から上方に向かうに従い円筒カバー２１の外壁側から内壁側（左側から右側）へ配置されるように斜めに傾斜して形成されており、遮水リング壁部２２に注がれる水滴が円筒カバー２１の外壁側に流れるようになっている。また、遮水リング壁部２２は、上端部側が防水層３５よりも内壁側に配置され、円筒カバー２１の全周にわたってリング状に形成されている。
【００２４】
水通路２３は、図２（ｂ）に示すように、円筒カバー２１の下側に配置されている。本実施形態において、水通路２３は、円筒カバー２１の周方向の下側を覆うように配置された通路壁２５によって形成されており、この通路壁２５は、遮水リング壁部２２と一体とされている。
【００２５】
この水通路２３は、円筒カバー２１の外壁側端部から遮水リング壁部２２までの外周面上に注がれる水滴を受けるための水滴の受け部としての機能を有するとともに、円筒カバー２１の外壁側（図２（ａ）において左側）に水が流れる通路としての機能を有する。水通路２３の外壁側端部（図２（ａ）において左端）には水滴を外壁側端部よりもさらに外方に払い出すための排水口２６が形成されている。この排水口２６は、外枠体２４から突出するように形成されている。
【００２６】
上記のような構成のスリーブ１０の外壁側端部（左端）において、スリーブ本体１１と、外枠体２４と、外壁３１とによって形成される隙間が、例えばコーキング４２によって埋められている。また、スリーブ１０の内壁側端部（右端）において、スリーブ本体１１と内壁３３との間の隙間がパッキン４１によって埋められている。このようにして、壁３０の外方から水などが浸入できないようになっている。
【００２７】
以下に、スリーブ用排水部材２０の製造方法、及びスリーブ１０の施工方法について説明する。
スリーブ用排水部材２０は、図３に示すように、円筒カバー２１と遮水リング壁部２２と通路壁２５と排水口２６とが一体成形された部材と、円筒カバー２１の内部に係合可能に設けられた係合部２４ａを有し孔２７が形成された外枠体２４と、を係合させることによって製造される。
【００２８】
より具体的には、図４に示すように、外枠体２４の係合部２４ａが、スリーブ用排水部材２０の円筒カバー２１の内部に係合し、固定されるようにする。なお、図５に示すように、円筒カバー２１の内部に嵌合可能な嵌合部２４ｂを外枠体２４に形成し、円筒カバー２１の内部に外枠体２４の嵌合部２４ｂが嵌合するようにしても良い。
さらに、本実施形態において、遮水リング壁部２２は、円筒カバー２１の外周から突出し、さらに、円筒カバー２１の径方向と垂直方向かつ円筒カバー２１の外壁側に突出している。
【００２９】
次に、スリーブ１０の施工方法について図６を用いて説明する。
壁３０は、図６（ａ）に示すように、外壁３１と、中間壁３２と、内壁３３とを備え、中間壁３２と内壁３３との間には断熱材３４が設けられ、中間壁３２の外壁側には防水層３５が形成されている。このような壁３０に対して、図６（ｂ）に示すように、壁３０を貫通する貫通孔３６を形成する。
【００３０】
次いで、図６（ｃ）に示すように、貫通孔３６にスリーブ本体１１を配置する。ここで、貫通孔３６の内壁側端部（右端）にはパッキン４１を配置し、貫通孔３６と内壁３３との間の隙間を埋めるようにする。
そして、図６（ｄ）に示すように、スリーブ本体１１の外壁側（左側）からスリーブ用排水部材２０を所定の位置に装着する。そして、コーキング４２によって、スリーブ用排水部材２０と外壁３１との隙間を埋める。このとき、遮水リング壁部２２の少なくとも一部が断熱材３４の孔の内方に配置されるようになっている。
上述のようにして、スリーブ１０の施工が完了する。
【００３１】
上述のような構成とされた本発明の実施形態であるスリーブ用排水部材２０、スリーブ１０、スリーブ壁貫通構造１において、外壁３１から壁３０の内部に浸入する水滴や、内部結露などに起因して生じる水滴が、円筒カバー２１の外壁側端部から遮水リング壁部２２までの外周面上に注がれる。そして、遮水リング壁部２２に流れる水滴は、水通路２３へと流れ、水通路２３の排水口２６から壁３０の外方へと払い出すことができる。
具体的には、図７（ａ）、（ｂ）に示すように、遮水リング壁部２２に流れる水滴Ｘは、遮水リング壁部２２の外壁側（図７（ａ）において左側）へと流れ、さらに水通路２３へと流れる。そして、水通路２３に溜まった水滴Ｘは、排水口２６から壁３０の外方へと払い出される。
【００３２】
壁３０に貫通孔３６を形成した場合には、防水層３５に開口部を形成することになり、この開口部を通じて水滴が断熱材３４へと浸入するおそれがあるが、スリーブ１０に上述のスリーブ用排水部材２０を設けることによって、断熱材３４に水が浸入することを防止できる。したがって、長期間にわたって断熱材３４の断熱性能を維持することが可能である。また、内壁側への水の浸入を抑制することにより、内壁３３に生じる腐食を抑制可能となる。
【００３３】
また、本実施形態では、遮水リング壁部２２が、下端部から上方に向かうに従い円筒カバー２１の外壁側から内壁側へ配置されるように斜めに傾斜して形成されているので、円筒カバー２１の外周に注がれる水滴を内壁側から外壁側へと効率的に水を流すことができる。
したがって、スリーブ１０にスリーブ用排水部材２０を取付けた場合に、円筒カバー２１に注がれる水滴を外壁側へと効率的に導き、この水滴を水通路２３から外壁側へ払い出すことができる。
【００３４】
また、水通路２３は、スリーブ１０の下方側を覆うように設けられた通路壁２５によって形成されているので、水滴が水通路２３に滴下するときに、水がはねて下方へ落下することを防止し、確実に水通路２３から水を払い出すことができる。
【００３５】
さらに、水通路２３には、水滴を壁３０の外方に払い出す排水口２６が形成されているので、水通路２３から水滴を効率よく払い出すことができる。
【００３６】
以上、本発明の一実施形態であるスリーブ用排水部材及びスリーブについて説明したが、本発明はこれに限定されることはなく、その発明の技術的思想を逸脱しない範囲で適宜変更可能である。
【００３７】
なお、上記実施の形態においては、側面視において遮水リング壁部２２が、下端部から上方に向かうに従い円筒カバー２１の外壁側から内壁側へ配置されるように、斜めに傾斜して形成されている場合について説明したが、図８に示すように、遮水リング壁部１２２が、断熱材３４の孔の内方においてスリーブ本体１１の周方向（図８において上下方向）に沿って外周から突出して形成されたスリーブ１１０及びスリーブ用排水部材１２０としても良い。この場合には、水通路１２３は、通路壁１２５が遮水リング壁部１２２に接続されることで形成されており、水滴が遮水リング壁部１２２を流れ、さらに水通路１２３を流れて壁３０の外方へと払い出される。すなわち、遮水リング壁部は、防水層の開口部から侵入する水滴を遮水リング壁部よりも内壁側（図８において右側）に浸入することを防止する壁としての機能を有する形状であれば良い。
【００３８】
また、上記実施の形態においては、スリーブ用排水部材がスリーブ本体に組み付けられる場合について説明したが、スリーブ本体とスリーブ用排水部材が一体成形されていても良い。すなわち、スリーブが、スリーブ本体と、このスリーブ本体の外壁側端部と内壁側端部との中間部に設けられ、スリーブ本体の外周から突出して形成された遮水リング壁部と、スリーブ本体の外周に設けられ、スリーブ本体の外壁側端部から遮水リング壁部までの外周面上に注がれる水滴を外壁側へ払い出す水通路と、を備える構成とされても良い。
【００３９】
この場合に、遮水リング壁部は、下端部から上方に向かうに従いスリーブ本体の外壁側から内壁側へ配置されるように、斜めに傾斜して形成されていても良い。また、水通路は、スリーブ本体の下方側を覆うように設けられた通路壁によって形成されていても良い。また、水通路には、水滴をスリーブ本体の外壁側端部よりも外方に払い出す排水口が形成されていても良い。
上記のようなスリーブ本体と、遮水リング壁部と、水通路とを備えたスリーブにおいても、上記の実施形態のスリーブと同様の効果を得ることが可能である。
【００４０】
また、上記実施の形態においては、水通路に排水口が形成されている場合について説明したが、排水口は形成されていなくても良い。
また、上記実施の形態においては、円筒カバーの外壁側に外枠体が設けられている場合について説明したが、外枠体は設けられていなくても良い。
また、スリーブの外壁側端部及び内壁側端部には、蓋が設けられていても良い。
【００４１】
また、スリーブ用排水部材の材質は特に限定されるものではないが、硬質または軟質の合成樹脂、あるいはゴムで構成されていることが好ましい。特に、軟質合成樹脂またはゴムによって構成されている場合には、既設のスリーブ本体にスリーブ用排水部材を組み付けたときに、水密性が良好である。
【００４２】
また、上記実施の形態においては、エアコンやクーラーを設置する際に建物の壁に形成する貫通孔に本実施形態のスリーブを配置する場合について説明したが、水の浸入を防止する必要がある貫通孔に対して本発明を適用することが可能である。
【符号の説明】
【００４３】
１０、１１０、２１０  スリーブ
２０、１２０  スリーブ用排水部材
２１  円筒カバー
２２、１２２  遮水リング壁部
２３、１２３  水通路
２５、１２５  通路壁
２６  排水口
３０、２３０  壁
３１、２３１  外壁
３３、２３３  内壁
３６、２３６  貫通孔
【図１】
2014084984.tif 000003
【図２】
2014084984.tif 000004
【図３】
2014084984.tif 000005
【図４】
2014084984.tif 000006
【図５】
2014084984.tif 000007
【図６】
2014084984.tif 000008
【図７】
2014084984.tif 000009
【図８】
2014084984.tif 000010
【図９】
2014084984.tif 000011